【手続補正書】
【提出日】平成19年10月12日(2007.10.12)
【手続補正１】
【補正対象書類名】明細書
【補正対象項目名】特許請求の範囲
【補正方法】変更
【補正の内容】
【特許請求の範囲】
【請求項１】  縦軸（１８、１１８、２１８）に略平行に延びる、重なり合う内縦領域（２６、１２６）及び外縦領域（２８、１２８）を有しそれらの縦軸（１８、１１８、２１８）に対して平行に延びる巻込みシート（１２、１２０、２２０）であり、かつ外周縁を画定し、巻込みシート（１２、１２０、２２０）が収縮状態から１つ又はそれ以上の拡張状態に巻解すようにバイアスされている巻込みシート（１２、１２０、２２０）を包含している伸長性ステント（１０、１１０、２１０）であって、この伸長性ステント（１０、１１０、２１０）が；
巻込みシート（１２、１２０、２２０）内に形成された複数の伸長性セル（４３０）であって、当該伸長性セル（４３０）はステントの周辺部の周りに、送出器内に収縮状態で配置容易とする非伸長状態から、上記送出器から配備する際に上記巻込みシート（１２、１２０、２２０）を１つ又は複数の拡張状態に膨張容易とする伸長状態に向けて拡張するようにバイアスされるようにした、複数の伸長性セル（４３０）；
各伸長性セル（４３０）は第１対向セグメント（４３５）及び第２対向セグメント（４３４）を包含しており、第１（４３５）及び第２（４３４）対向セグメントは非伸長状態では互いに相手側へ方向付けられ、かつ伸長状態では互いから離れる方向に向けられて伸長性セル（４３０）は巻込みシート（１２、１２０、２２０）が引き出された状態の時少なくとも部分的に反転し、かつ伸長状態へ拡大しこれにより巻込みシート（１２、１２０、２２０）が軸方向に短縮することなく１つ又はそれ以上の拡大状態へ拡開する伸長性セル（４３０）、とにより特徴付けられている、伸長性ステント（１０、１１０、２１０）。
【請求項２】  更に、伸長性ステント（１０、１１０、２１０）の内縦領域（２６、１２６）から延びる複数のロック素子（２４、１２４、２２４）であって、該ステントの外縦領域（２８、１２６）における複数の開口（３２、１３２、２３２）と選択的に係合して当該巻込みシート（１２、１２０、２２０）を１つ又はそれ以上の拡張状態に固定する、複数のロック素子（２４、１２４、２２４）を含む、請求項１に記載の伸長性ステント（１０、１１０、２１０）。
【請求項３】  伸長性セル（４３０）が伸長状態にあるようにバイアスされることにより、巻込みシート（１２、１２０、２２０）の少なくとも一部分が収縮状態から１つ又はそれ以上の拡張状態に向けて半径方向に膨張されるようにした、請求項１、又は請求項２に記載の伸長性ステント（１０、１１０、２１０）。
【請求項４】  巻込みシート（１２、１２０、２２０）が温度に基づく形状記憶材料により形成され、該シートの伸長性セル（４３０）が第１温度に暴露されたとき、非伸長状態に向けて塑性的に圧縮可能とされる一方、第２温度に暴露されたとき、伸長状態に向けてバイアスされるようにした、請求項１〜請求項３のいずれかに記載の伸長性ステント（１０、１１０、２１０）。
【請求項５】  第２温度が体温又はそれ以上の温度とされる、請求項４に記載の伸長性ステント（１０、１１０、２１０）。
【請求項６】  第１温度が約２５℃又はそれ以下の温度である、請求項４に記載の伸長性ステント（１０、１１０、２１０）。
【請求項７】  巻込みシート（１２、１２０、２２０）がニチノールを用いて形成された、請求項４に記載の伸長性ステント（１０、１１０、２１０）。
【請求項８】  ニチノールが第１温度にてマルテンサイト相とされ、第２温度にてオーステナイト相とされる、請求項７に記載の伸長性ステント（１０、１１０、２１０）。
【請求項９】  巻込みシート（１２０、２２０）が更に非変形領域（１３６、１３８、２３６）から形成される、前記請求項のいずれかに記載の伸長性ステント（１１０、２１０）。
【請求項１０】  非変形領域（１３６、１３８、２３６）が硬質格子状構造体により形成される、請求項９に記載の伸長性ステント（１１０、２１０）。
【請求項１１】  巻込みシート（１２、１２０、２２０）全体に伸長性セル（４３０）が形成された、請求項１〜請求項９のいずれかに記載の伸長性ステント（１０、１１０、２１０）。
【請求項１２】  伸長性セル（４３０）が巻込みシート（１２０）の第１及び第２端部間に延びる縦伸長性領域（１３４）を画定した、前記請求項のいずれかに記載の伸長性ステント（１１０）。
【請求項１３】  伸長性セル（４３０）が巻込みシート（２２０）の一端部に伸長性冠状端部（２３４）を画定した、前記請求項のいずれかに記載の伸長性ステント（２１０）。
【請求項１４】  形状記憶機能を有する伸長性セル（４３０）が、予め定められた温度で暴露されたとき、周辺部の周りに非伸長状態から伸長状態に向けてバイアスされるようにした、請求項１又は請求項２に記載の伸長性ステント（１０、１１０、２１０）。
【請求項１５】  伸長性セル（４３０）が、体温又はそれ以上の温度に暴露されたとき、伸長状態にあるようにバイアスされる、請求項１４に記載の伸長性ステント（１０、１１０、２１０）。
【請求項１６】  巻込みシート（１０、１１０、２１０）がニチノールを用いて形成された、請求項１４又は請求項１５に記載の伸長性ステント（１０、１１０、２１０）。
【請求項１７】  伸長性セル（４３０）が体温又はそれ以上の温度にてオーステナイトとされる、請求項１６に記載の伸長性ステント（１０、１１０、２１０）。
【請求項１８】  伸長性セル（４３０）が約２５℃又はそれ以下の温度にてマルテンサイトとされる、請求項１６又は請求項１７に記載の伸長性ステント（１０、１１０、２１０）。
【請求項１９】  巻込みシートステント（１０、１１０、２１０）を製造するにあたり、
長さ及び幅を画定する、実質的に平坦なシート（１２、１２０、２２０）を設ける段階；
上記シート（１２、１２０、２２０）に複数の伸長性セル（４３０）を形成し、これらの伸長性セル（４３０）を、当該シート（１２、１２０、２２０）の幅に沿って非伸長状態及び伸長状態間で膨張可能に形成し、ここで各伸長性セル（４３０）は第１対向セグメント（４３５）および第２対向セグメント（４３４）を包含し、第１（４３５）及び第２（４３４）対向セグメントは非拡大状態では互いに相手側を向き、かつ拡大状態では互いに相手から離れる方向を向くようにして伸長性セル（４３０）は非拡大状態では少なくとも部分的に反転し；
平坦シート（１２、１２０、２２０）幅周りに巻込みシートステント（１０、１１０、２１０）内で回して内縦領域（２６、１２６）および外縦領域（２８、１２８）を重合させ；かつ
伸長セル（４３０）を少なくとも部分的に反転させて伸長セル（４３０）に押圧しかつ伸長セル（４３０）を非拡張状態に置く、巻込みシートステントの製造方法。
【請求項２０】  シート（１２、１２０、２２０）が形状記憶材料により形成され、伸長性セル（４３０）の形成段階中に、上記形状記憶材料に伸長形状がプログラムされるようにした、請求項１９に記載の方法。
【請求項２１】  伸長性セル（４３０）を形成するにあたり、
上記シート（１２、１２０、２２０）に伸長形状をもって伸長性セル（４３０）を形成する段階；及び
上記シート（１２、１２０、２２０）を加熱処理して当該形状記憶材料に伸長形状をプログラムする段階を含む、請求項２０に記載の方法。
【請求項２２】  更に、加熱処理後、伸長性セル（４３０）を非伸長形状に収縮する段階を含む、請求項２１に記載の方法。
【請求項２３】  形状記憶材料としてニチノールが用いられ、該ニチノールが加熱処理段階においてオーステナイトとされる、請求項２０〜請求項２２のいずれかに記載の方法。
【請求項２４】  シート（１２、１２０、２２０）が少なくとも略体温程度の温度に加熱され、該温度がニチノールを実質的に完全にオーステナイトに変態させるのに十分なものとされる、請求項２３に記載の方法。
【請求項２５】  更に、シート（１２、１２０、２２０）を加熱処理後に冷却し、ニチノールを冷却させてマルテンサイトとする段階を含む、請求項２３に記載の方法。
【請求項２６】  更に、シート（１２、１２０、２２０）が約２５℃又はそれ以下の温度に冷却され、該温度がニチノールを実質的に完全にマルテンサイトに変態させるのに十分な低いものとされる、請求項２４又は請求項２５に記載の方法。
【請求項２７】  伸長性セル（４３０）を、冷却処理後、非伸長形状に塑性変形する段階を含む、請求項２５又は請求項２６に記載の方法。
【請求項２８】  伸長性セル（４３０）を形成する段階が
シート（１２、１２０、２２０）に、非伸長形状をもって伸長性セル（４３０）を形成し；
上記伸長性セル（４３０）を伸長形状に塑性変形し；及び
上記シート（１２、１２０、２２０）を加熱処理して当該形状記憶材料に伸長形状をプログラムすることを含む、請求項２０に記載の方法。
【請求項２９】  更に、シート（１２、１２０、２２０）を、加熱処理後に、冷却することにより伸長性セル（４３０）を非伸長形状に復元させる段階を含む、請求項２８に記載の方法。
【請求項３０】  シート（１２、１２０、２２０）に、化学エッチング、レーザ切断又は打ち抜き方法を用いて伸長性セル（４３０）を形成する、請求項１９〜請求項２９のいずれかに記載の方法。
【請求項３１】  更に、シート（１２、１２０、２２４）の長手方向に延びるシート側縁部（２６、１２６）に、複数のロック素子（１２、１２０、２２０）を形成する段階を含む、請求項１９〜請求項３０のいずれかに記載の方法。